(57)【要約】【課題】携帯端末に保存された画像データを容易に種々の映像と合成してシール用紙に印刷でき、様々なバリエーションのシールを作成し楽しむことができるプリントシステム及びプリント方法を提供する。【解決手段】携帯端末から赤外線データ送信された画像データを受信する赤外線データ送受信手段と、赤外線データ送受信手段により受信した画像データを表示する画像データ表示手段と、画像データ表示手段により表示された画像データを、利用者の指示にしたがって予め保存・蓄積されている任意の画像データと組合せ、画像データを編集する画像データ編集手段と、画像データ編集手段により編集された画像データを印刷する印刷手段とを備える。【選択図】  図６
2006130658.tif 000002
【特許請求の範囲】
【請求項１】
携帯端末から送信された画像、文字等のデータを、プリント装置の表示部に表示させ、この表示部に表示された画像、文字等のデータを利用者の任意の指示にしたがって編集し印刷するプリントシステムであって、
携帯端末から赤外線データ送信された画像データを受信する赤外線データ送受信手段と、
赤外線データ送受信手段により受信した画像データを表示する画像データ表示手段と、
画像データ表示手段により表示された画像データを、予め保存・蓄積されている任意の画像データと組合せ、画像データを編集する画像データ編集手段と、
画像データ編集手段により編集された画像データを印刷する印刷手段と、
を備えたことを特徴とするプリントシステム。
【請求項２】
携帯端末から送信された画像、文字等のデータを、プリント装置の表示部に表示させ、この表示部に表示された画像、文字等のデータを利用者の任意の指示にしたがって編集し印刷するプリントシステムであって、
携帯端末から赤外線データ送信された画像データ及び／又は携帯端末に保存された氏名・電話番号・電子メールアドレス等の所有者データを含む文字データを受信する赤外線データ送受信手段と、
赤外線データ送受信手段により受信した画像データを表示する画像データ表示手段と、
画像データ表示手段により表示された画像データを、予め保存・蓄積されている任意の画像データと組合せ、画像データを編集する画像データ編集手段と、
赤外線データ送受信手段により受信した文字データを表示する文字データ表示手段と、
文字データ表示手段により表示された文字データを加工・修正し、文字データを編集する文字データ編集手段と、
画像データ編集手段及び／又は文字データ編集手段により編集された画像データ及び／又は文字データを印刷する印刷手段と、
を備えたことを特徴とするプリントシステム。
【請求項３】
画像データ及び／又は文字データが複数であることを特徴とする請求項１又は２に記載のプリントシステム。
【請求項４】
画像データが、動画データであることを特徴とする請求項１乃至３のいずれかに記載のプリントシステム。
【請求項５】
動画データから抽出された複数の静止画像データを１枚のシール用紙に印刷することを特徴とする請求項４に記載のプリントシステム。
【請求項６】
利用者の指示の一部又は全部が音声入力手段によりなされることを特徴とする請求項１乃至５のいずれかに記載のプリントシステム。
【請求項７】
表示手段により表示部に表示された画像データを左右方向に略９０度回転させ表示させる回転表示手段を備えたことを特徴とする請求項１乃至６のいずれかに記載のプリントシステム。
【請求項８】
携帯端末から赤外線データ送信された画像データ若しくは文字データ及び／又は画像データ編集手段により編集された画像データ若しくは文字データを記憶する記憶手段と、
記憶手段により記憶された画像データ及び／又は文字データを上書き削除するデータ削除手段を有することを特徴とする請求項１乃至７のいずれかに記載のプリントシステム。
【請求項９】
データ削除手段は、印刷完了後又はサービスキャンセル時に実行されることを特徴とする請求項８に記載のプリントシステム。
【請求項１０】
印刷手段による印刷実行中に、利用者の携帯端末に赤外線データ送受信手段によりデータ送信が可能であることを特徴とする請求項１乃至９のいずれかに記載のプリントシステム。
【請求項１１】
データ送信により送信されるデータが、プログラムデータ、広告データ、割引電子クーポンデータ、景品引換え券データ、サービスポイントデータ、新製品データであることを特徴とする請求項１０に記載のプリントシステム。
【請求項１２】
プリント装置は、利用者の携帯端末を固定する携帯端末固定部を有することを特徴とする請求項１乃至１１のいずれかに記載のプリントシステム。
【請求項１３】
携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された画像データを受信する赤外線データ送受信手順と、
赤外線データ送受信手順により受信した画像データを表示部に表示する画像データ表示手順と、
画像データ表示手順により表示部に表示された画像データを、予め保存・蓄積されている任意の画像データと組合せ、画像データを編集する画像データ編集手順と、
画像データ編集手順により編集された画像データを印刷する印刷手順と、
を備えたことを特徴とするプリント方法。
【請求項１４】
携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された画像データ及び／又は携帯端末に保存された氏名・電話番号・電子メールアドレス等の所有者データを含む文字データを受信する赤外線データ送受信手順と、
赤外線データ送受信手順により受信した画像データを表示部に表示する画像データ表示手順と、
画像データ表示手順により表示された画像データを、予め保存・蓄積されている任意の画像データと組合せ、画像データを編集する画像データ編集手順と、
赤外線データ送受信手順により受信した文字データである文字データを表示する文字データ表示手順と、
文字データ表示手順により表示部に表示された所有者データを加工・修正し、所有者データを編集する所有者データ編集手順と、
画像データ編集手順及び／又は所有者データ編集手順により編集された画像データ及び／又は所有者データを印刷する印刷手順と、
を備えたことを特徴とするプリント方法。
【発明の詳細な説明】
【０００１】
【発明の属する技術分野】
本発明は、プリントシステム及びプリント方法に関するものであり、特に携帯電話機から赤外線データ送信により送信された画像データ等を受信し、その画像データ等の修正・加工を行い所定のシールシートに印刷するプリントシステム及びプリント方法に関する。
【０００２】
【従来の技術】
従来、赤外線データ伝送を行う装置として、遠隔操作用のリモートコントローラとテレビジョン受信機等の機器との間や、汎用小型コンピュータ間や、汎用コンピュータとプリンタとの間等の各種データ処理装置間において、赤外線をデータ通信媒体に用いている例が周知であり（例えば、特開平１０−５６４２７号「赤外線データ通信装置」等）、近年では、小型化が進んでいる携帯電話機や携帯データ端末等の間での赤外線データ通信装置等が考えられている（例えば、特開平２０００−１１５０７９号「赤外線データ通信装置及びその方法」等）。
そして、カメラの機能を有する携帯電話機などの携帯端末も数多く存在している。
【０００３】
一方、アミューズメント施設等において、友人や家族と一緒に又は一人で写真を写し、その写真を色々な画像と合成し、シール用紙等に印刷する遊戯用機械が存在している（例えば、登録実用新案第３０１４７３３号「映像プリント供給装置」等）。この遊戯用機械は、あくまで遊戯用機械に設置されたカメラにより撮影を行った映像にのみ基づいて写真の合成が行われている。
【０００４】
【発明が解決しようとする課題】
以上のような状況において、カメラ付携帯端末を有する者は、自分が撮影した映像を携帯端末の表示画面で自己が見たいときに見たり、その映像を自己のプリンタで印刷したりして楽しんでいるのが一般的であったが、これをシール用紙等に印刷する遊戯用機械において種々の映像と合成したりすることができれば、様々なバリエーションのシールを作成し楽しむことができる。また、その印刷の手順もガイダンスを流したりする等、容易に行うことができれば、子供、お年寄り等広い範囲において容易に利用することも可能となる。
【０００５】
本発明は、上述のような実情に鑑みてなされたものであり、携帯端末に保存された画像データを容易に種々の映像と合成してシール用紙に印刷でき、様々なバリエーションのシールを容易に作成し楽しむことができるプリントシステム及びプリント方法を提供することを目的とする。
【０００６】
【課題を解決するための手段】
本発明は上記目的を達成するため、請求項１に記載の発明は、携帯端末から送信された画像、文字等のデータを、プリント装置の表示部に表示させ、この表示部に表示された画像、文字等のデータを利用者の任意の指示にしたがって編集し印刷するプリントシステムであって、携帯端末から赤外線データ送信された画像データを受信する赤外線データ送受信手段と、赤外線データ送受信手段により受信した画像データを表示する画像データ表示手段と、画像データ表示手段により表示された画像データを、予め保存・蓄積されている任意の画像データと組合せ、画像データを編集する画像データ編集手段と、画像データ編集手段により編集された画像データを印刷する印刷手段と、を備えたことを特徴とする。
【０００７】
請求項２に記載の発明は、携帯端末から送信された画像、文字等のデータを、プリント装置の表示部に表示させ、この表示部に表示された画像、文字等のデータを利用者の任意の指示にしたがって編集し印刷するプリントシステムであって、携帯端末から赤外線データ送信された画像データ及び／又は携帯端末に保存された氏名・電話番号・電子メールアドレス等の所有者データを含む文字データを受信する赤外線データ送受信手段と、赤外線データ送受信手段により受信した画像データを表示する画像データ表示手段と、画像データ表示手段により表示された画像データを、予め保存・蓄積されている任意の画像データと組合せ、画像データを編集する画像データ編集手段と、赤外線データ送受信手段により受信した文字データを表示する文字データ表示手段と、文字データ表示手段により表示された文字データを加工・修正し、文字データを編集する文字データ編集手段と、画像データ編集手段及び／又は文字データ編集手段により編集された画像データ及び／又は文字データを印刷する印刷手段と、を備えたことを特徴とする。
【０００８】
請求項３に記載の発明は、画像データ及び／又は文字データが複数であることを特徴とする。
【０００９】
請求項４に記載の発明は、画像データが、動画データであることを特徴とする。
【００１０】
請求項５に記載の発明は、動画データから抽出された複数の静止画像データを１枚のシール用紙に印刷することを特徴とする。
【００１１】
請求項６に記載の発明は、利用者の指示の一部又は全部が音声入力手段によりなされることを特徴とする。
【００１２】
請求項７に記載の発明は、表示手段により表示部に表示された画像データを左右方向に略９０度回転させ表示させる回転表示手段を備えたことを特徴とする。
【００１３】
請求項８に記載の発明は、携帯端末から赤外線データ送信された画像データ若しくは文字データ及び／又は画像データ編集手段により編集された画像データ若しくは文字データを記憶する記憶手段と、記憶手段により記憶された画像データ及び／又は文字データを上書き削除するデータ削除手段を有することを特徴とする。
【００１４】
請求項９に記載の発明は、データ削除手段は、印刷完了後又はサービスキャンセル時に実行されることを特徴とする。
【００１５】
請求項１０に記載の発明は、印刷手段による印刷実行中に、利用者の携帯端末に赤外線データ送受信手段によりデータ送信が可能であることを特徴とする。
【００１６】
請求項１１に記載の発明は、データ送信により送信されるデータが、プログラムデータ、広告データ、割引電子クーポンデータ、景品引換え券データ、サービスポイントデータ、新製品データであることを特徴とする。
【００１７】
請求項１２に記載の発明は、プリント装置は、利用者の携帯端末を固定する携帯端末固定部を有することを特徴とする。
【００１８】
請求項１３に記載の発明は、携帯端末から送信された画像、文字等のデータを、プリント装置の表示部に表示させ、この表示部に表示された画像、文字等のデータを利用者の任意の指示にしたがって編集し印刷するプリント方法であって、携帯端末から赤外線データ送信された画像データを受信する赤外線データ送受信手順と、赤外線データ送受信手順により受信した画像データを表示部に表示する画像データ表示手順と、画像データ表示手順により表示部に表示された画像データを、予め保存・蓄積されている任意の画像データと組合せ、画像データを編集する画像データ編集手順と、画像データ編集手順により編集された画像データを印刷する印刷手順と、を備えたことを特徴とする。
【００１９】
請求項１４に記載の発明は、携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された画像データ及び／又は携帯端末に保存された氏名・電話番号・電子メールアドレス等の所有者データを含む文字データを受信する赤外線データ送受信手順と、赤外線データ送受信手順により受信した画像データを表示部に表示する画像データ表示手順と、画像データ表示手順により表示された画像データを、予め保存・蓄積されている任意の画像データと組合せ、画像データを編集する画像データ編集手順と、赤外線データ送受信手順により受信した文字データである文字データを表示する文字データ表示手順と、文字データ表示手順により表示部に表示された所有者データを加工・修正し、所有者データを編集する所有者データ編集手順と、画像データ編集手順及び／又は所有者データ編集手順により編集された画像データ及び／又は所有者データを印刷する印刷手順と、を備えたことを特徴とする。
【００２０】
【発明の実施の形態】
本発明に係る実施の形態を図１に基づき以下に説明する。図１は、本実施の形態のプリントシステムのイメージ図である。図１中、１０は携帯端末の一種であるカメラ付携帯電話であり、２０はプリント装置である。
【００２１】
なお、携帯端末は、静止画及び／又は動画の画像データ、文字データ等を一時的に保存可能であって、これらのデータを赤外線データ通信で、送信できるものであれば良いが、本実施の形態では、カメラ機能を有した携帯電話機に基づいて説明を行う。
【００２２】
ここで、カメラ機能を有した携帯電話機の構成について、図２の概略ブロック図に基づいて説明する。携帯電話機１０は、携帯電話機１０の全体を制御する制御部１０１と、テンキーや各種入力キーなどからなる入力部１０２と、無線通信・基地局を介して通信などを行う通信部１０３と、画像データや文字データなどを記憶する記憶部１０４と、各種情報を表示する表示部１０５と、受信した音声等を出力するスピーカー１０６と、音声等を入力するマイク１０７と、携帯電話機１０の各部に電源を供給するためのバッテリー１０８と、映像を撮影するカメラ１０９と、画像データ等を送受信可能な赤外線データ送受信部１１０とを備えている。
【００２３】
そして、携帯電話機１０の記憶部１０４には、画像データを格納するための画像フォルダが設けられており、その画像フォルダに画像データが保存されている。
【００２４】
図４は、この画像フォルダの画像データの内訳である。保存された画像データは、それぞれの画像毎に、フラグ・フォト番号・日時・タイトル・画像サイズ・ファイルの種類・画像データ等のフィールドを有するレコードにより管理され、そのうち、フラグ欄はその画像が自携帯のカメラで撮影した映像であるか、又は、他からダウンロードされた映像であるかが判断され、その結果、他からダウンロードされた映像であると判断された場合には、著作権・肖像権保護の目的でフラグが立ち、その画像の転送を禁止する。フォト番号欄は画像毎に割り当てられたユニークな番号を格納する。日時欄は画像を撮影した日時データを格納する。タイトル欄はデフォルトではブランクであるが、利用者（本プリントシステムを利用する者を意味する。）によりその画像のタイトルが付与された場合にそのタイトルデータを格納する。画像サイズ欄は画像データのサイズを格納する。ファイルの種類欄は保存された画像データのファイル形式（例えば、ＪＰＥＧ、ＰＮＧ、ビットマップ、ＭＰＥＧ等）情報を格納する。画像データ欄には実際の画像データを格納する。
【００２５】
プリント装置２０は、画像データ、文字データ等を受信可能であって、これらデータの修正・加工等が表示画面（タッチパネル画面）上で可能であると共に、それらをシールシート等の任意の用紙に印刷することができるものであれば良い。
【００２６】
ここで、プリント装置２０の構成について、図３の概略ブロック図に基づいて説明する。プリント装置２０は、プリント装置２０の全体を制御する制御部２０１と、タッチパネル式の表示部２０２と、背景・差し札・書体（江戸文字、演芸文字、相撲文字等）・イラスト・家紋・前景フレーム等のデータを保存蓄積等している記憶部２０３と、メモリ２０４と、画像データ等を送受信可能な赤外線データ送受信部２０５と、印刷処理を行う印刷部２０６と、お金の投入を受付ける金銭投入部２０７と、赤外線データ送受信部２０５で受信したテキスト形式の画像データをＪＰＥＧ（ｊｏｉｎｔ  ｐｈｏｔｏｇｒａｐｈｉｃ  ｅｘｐｅｒｔｓｇｒｏｕｐ）形式等に変換処理するデータ変換処理部２０８を備えている。また、コントロールレバーや各種ボタン等の入力部や、赤外線通信以外の通信を可能とする通信部や、スピーカーや、マイクや、無停電電源ユニット（ＵＰＳ）等を適宜備えて良い。
【００２７】
そして、プリント装置の記憶部には、図５に示すような背景・差し札・書体（江戸文字、演芸文字、相撲文字等）・イラスト・家紋・前景フレーム等のデータを保存・蓄積したデータベースが構築されている。また、図５の履歴ＤＢ（データベース）には、プリント装置の利用日時・利用時間・利用者により選択されたシールの種類や背景・イラスト等に関する各種情報が保存蓄積され、これらの情報は、後に、集計業務やマーケティング等に利用される。携帯機種ＤＢには、携帯電話の機種毎の操作マニュアル等が保存蓄積されている。
【００２８】
図６は、本実施例に係るプリントシステムの主要な流れを示した図であり、この図に基づいて概略を説明する。
【００２９】
先ず、携帯電話機１０に装備されたカメラ１０９により人物や動植物や風景等の撮影がなされる（Ｓ１０）。この撮影された画像データは、静止画像データの場合は、通常、バイナリーデータとしてＪＰＥＧ（ｊｏｉｎｔ  ｐｈｏｔｏｇｒａｐｈｉｃ  ｅｘｐｅｒｔｓ  ｇｒｏｕｐ）形式で保存されているが、その他、ビットマップ・ディスプレイ（ｂｉｔ−ｍａｐｐｅｄ  ｄｉｓｐｌａｙ）形式、ＰＮＧ（ｐｏｒｔａｂｌｅ  ｎｅｔｗｏｒｋ  ｇｒａｐｈｉｃｓ）形式等で携帯電話機１０の画像フォルダに保存される場合もある。また、動画像データの場合は、通常、ＭＰＥＧ（ｍｏｖｉｎｇ  ｐｉｃｔｕｒｅ  ｅｘｐｅｒｔｓ  ｇｒｏｕｐ）形式で画像フォルダに保存される（Ｓ１１）。
【００３０】
次に、携帯電話機１０において、この画像フォルダに保存された画像データの中から、送信処理を行う画像データの選択処理が行われると（Ｓ１２）、この選択された画像データがバイナリーデータからテキストデータに変換される変換処理が行われる（Ｓ１３）。
【００３１】
この変換処理の後、選択した画像データがテキストデータの形式で赤外線データ通信により、プリント装置２０へ送信される（Ｓ１４）。
【００３２】
プリント装置２０では、赤外線データ通信で携帯電話機１０から送信された画像データを受信する（Ｓ１５）。プリント装置２０では、この画像データ受信後、テキストデータからＪＰＥＧ（ｊｏｉｎｔ  ｐｈｏｔｏｇｒａｐｈｉｃ  ｅｘｐｅｒｔｓ  ｇｒｏｕｐ）形式等に変換する変換プログラムを実行する変換処理が行われる（Ｓ１６）。
【００３３】
この変換プログラムは、予めプリント装置２０の記憶部に保存されている。
【００３４】
この変換処理の後、画像データを表示部２０２に表示する画像表示処理が行われる（Ｓ１７）。
【００３５】
表示部２０２は、タッチパネル形式となっているため、このタッチパネル画面にて、プリントシステムの利用者は、表示された画像データと、プリント装置２０の記憶部２０３に保存蓄積された背景・差し札・書体（江戸文字、演芸文字、相撲文字等）・イラスト・家紋・前景フレーム等のデータとを組合せて任意の画像データを作成すると、プリント装置はこれを受付け編集処理を行う（Ｓ１８）。
【００３６】
この編集処理により印刷を行なう画像が決定されると（Ｓ１９）、課金処理が行われる（Ｓ２０）。即ち、プリント装置２０の表示部に料金が表示され、この表示された料金を、システム利用者が、金銭投入部２０７に金銭を投入する。
【００３７】
金銭が投入されたことをプリント装置が確認処理し、課金処理が完了すると、画像の印刷が開始され、所定のシートの所定の位置に画像データ等が印刷される（Ｓ２１）。
【００３８】
また、場合によっては、プリント装置２０は、赤外線データ通信で、携帯電話機１０で任意に入力された文字データも受信処理する。携帯電話機１０の記憶部に保存された文字データ（氏名・自携帯電話番号・自携帯電子メールアドレス等の所有者データや、アドレス帳データや、コメントデータや、スケジュール帳データ等）は、一般的にテキストデータの一種であるｖＣａｒｄやｖＣａｌｅｎｄａｒやｖＮｏｔｅの形式で保存されおり、プリント装置２０はこの受信した文字データをそのままの状態（テキストデータのまま）で表示処理を行う。
【００３９】
なお、テキストデータに変換された画像データや、ｖＣａｒｄやｖＣａｌｅｎｄａｒやｖＮｏｔｅの形式で保存された文字データ等のオブジェクトはＩｒＭＣというプロトコルを使って携帯電話機１０の赤外線送受信部からプリント装置２０の赤外線送受信部へ転送される。
【００４０】
ＩｒＭＣは、ＩｒＤＡ（Ｉｎｆｒａｒｅｄ  Ｄａｔａ  Ａｓｓｏｃｉａｔｉｏｎ）で規定される各種プロトコルのひとつで、汎用的なファイル転送機能を提供するものである。
【００４１】
＜実施例＞
更に、プリント装置２０の表示部２０２に表示される画面に基づいて以下に具体的に実施例を説明する。
【００４２】
プリント装置２０は、利用されていない際には、デモムービー等が流れるデモ画面が表示される（図７）。そして、利用者が、プリント装置２０に近づくと、センサーで感知し、表示部２０２に「画面にタッチしてください。」等の文字を表示さたり又は音声を流したりする表示処理又は音声処理が行われる。
【００４３】
利用者がプリント装置の表示部２０２にタッチすると、タイトルロゴ及びスタートボタンが表示された図８に示すようなタイトル画面が表示されるよう表示処理が行われる。
【００４４】
その際、タイトル名が音声で流れるよう音声処理が行われる。利用者がスタートボタンにタッチすると図９に示すような作成シール種類選択画面が表示処理される。一方、一定時間が経過してもスタートボタンがタッチされない場合には、デモ画面が表示処理される。
【００４５】
作成シール種類選択画面では、利用者が選択できるシールの種類が画面に表示処理される。その際、「作りたいシールを選んでください。」と音声でアナウンスが流れるよう音声処理される。
【００４６】
図９では、３種類のシールが表示されている。具体的には、ａ）名前の入力、背景の選択、差し札の選択、書体（江戸文字、演芸文字、相撲文字等）の選択、携帯端末から送信された画像（顔写真や、動植物や風景写真等）データ・イラスト・家紋等の挿入、前景フレーム合成、等が可能である札型シール（以下、江戸祝札という。）や、ｂ）携帯端末から送信された画像（顔写真や、動植物や風景写真等）データや文字（所有者データやコメント等）データの挿入、前景フレーム合成、文字項目（名前、電話番号、電子メールアドレス、コメント等）の入力、等が可能であるネーム型シール、ｃ）シール用紙に画像データを分割印刷可能な写真型シールであるが、これに限定されるものではない。
【００４７】
利用者は、画像データ取り込み方法選択画面において、好みのシールを選び、タッチパネル上の好みのシールのボタンにタッチすると、タッチされたシールを作成するための画面へ切り替わるよう表示処理される。
【００４８】
（江戸祝札）
先ず、江戸祝札を選択した場合を説明する。
利用者がプリント装置の表示画面（タッチパネル画面）上に表示された江戸祝札ボタンにタッチすると、図１０に示すような江戸祝札分割数選択画面が表示処理される。図１０中では、４枚、８枚、１６枚に分割する場合のタッチボタン及び「戻る」のタッチボタンが表示されている。この分割する枚数のボタンは、あくまで例示でありこれに限定されるものではなく、分割枚数は自由に設定可能であることは勿論である。
【００４９】
ここで利用者がいずれかの枚数を選択し、プリント装置の表示部（表示部とは、表示画面を意味するが、本実施例では特にタッチパネル画面を意味するものとして使用する。）２０２上に表示されたタッチボタンにタッチすると、プリント装置２０の表示部２０２には、図１１に示すような江戸祝札カシラ入力種類選択画面が表示処理される。その際、「カシラには何を入れますか。」の表示及び／又はこのガイダンスが音声で流れる音声処理がなされる。ここで、カシラとは、略長方形状に縦に形成された江戸祝札の上部に設けられた略円形状のスペースを指す。
【００５０】
江戸祝札カシラ入力種類選択画面には、江戸祝札の全体図とカシラに挿入する項目を選択するためのタッチボタンが表示される。このタッチボタンの項目の種類としては、写真、イラスト・マーク、家紋等を選択可能なタッチボタンであり、その他「入れない」「戻る」のタッチボタンも表示される。
【００５１】
・写真を選択した場合。
利用者が写真ボタンを選択し、その部分にタッチすると、図１２に示すようなカメラ付携帯電話機で撮影した人物や風景等の画像（写真）データをその携帯電話機に装備された赤外線送受信手段によりプリント装置の記憶部へ取り込むことを確認するための確認画面が、プリント装置の表示部２０２に表示処理される。この確認画面では、「携帯電話機から写真を取り込みますか？」の文字及び利用者が選択可能な「はい」「いいえ」のタッチボタンが表示される。その際、「携帯電話機から写真を取り込みますか？」のガイダンスが音声で流れるよう音声処理がなされる。
【００５２】
利用者が、「はい」のタッチボタンを選択し、その部分にタッチすると、図１３に示す、赤外線データ通信機能を有する携帯電話機の機種を示した対応機種一覧画面が、プリント装置２０の表示部２０２に表示処理される。対応機種として、例えば、株式会社エヌ・ティ・ティ・ドコモで利用されているものとして、Ｐ５０４ｉＳ、Ｎ５０４ｉＳ、Ｆ５０４ｉＳ、Ｄ５０４ｉＳ等がありこれらが表示される。なお、利用者が、「いいえ」のタッチボタンを選択し、その部分にタッチすると、プリント装置２０は、江戸祝札カシラ入力種類選択画面へと戻るよう表示処理を行う。
【００５３】
この対応機種一覧画面では、複数の対応機種のタッチボタンと「戻る」のタッチボタンが表示される。利用者が、該当する機種を選択しそのタッチボタンをタッチすると、プリント装置２０は、図１４に示すような、各機種に応じた赤外線送信ガイダンス画面を、表示部２０２に表示させる。赤外線送信ガイダンス画面では、選択された機種対応する赤外線送信方法のガイダンス情報が表示される。
【００５４】
この赤外線送信ガイダンス画面では、「スキップ」のタッチボタンも表示され、利用者が、この「スキップ」を選択しタッチボタンにタッチすると、プリント装置２０は、ガイダンス情報の省略処理を行い、図１５に示すような携帯電話機からの画像データ待ち受け画面を、表示部２０２に表示させる。
【００５５】
この携帯電話機１０からの画像データ待ち受け画面では、「お持ちの携帯電話機内にある取り込みたい画像を選択して赤外線で送信してください。」等と表示されると共に、取り込み方法が具体的に利用者に分かるようにガイダンスムービーが流れるよう処理される。その際、「携帯電話機から写真を取り込みますか？」のガイダンスが音声で流れるよう音声処理も行われる。
【００５６】
赤外線データ送信により、利用者の携帯電話機からその記憶部に記憶され、利用者によって選択された画像データが送信され、プリント装置２０側のデータ受信が開始できた場合には、プリント装置２０の表示部２０２には図１６に示すような画データ像取り込み画面が表示処理される。
【００５７】
この赤外線によるデータ送信時は、携帯電話機１０の赤外線送受信部とプリント装置２０の赤外線送受信部とを、間に障害物を介さないかたちで、且つ、２０ｃｍ以内の距離で、対面させる状態で数秒間（３〜５秒程度）動かさずに保持し、受信完了を待つのが望ましい。
【００５８】
その際に、動かないようにする目的で、プリント装置２０の赤外線送受信部付近の筐体（本体）上面に、携帯電話機１０を固定するための携帯電話固定部を設けておくのが望ましい。この携帯電話固定部は、赤外線データ送信を行うことが出来るものであれば良く、その形状、固定方法等は問われないものである。
【００５９】
一方、一定時間内に赤外線データ信号がプリント装置２０で受信できなかった場合には、図１７に示すような赤外線通信データ取得失敗画面が表示処理される。この赤外線通信データ取得失敗画面では、「次へ」のタッチボタンも表示され、利用者がこのタッチボタンを選択してその部分にタッチすると、プリント装置２０は前記携帯電話機からの画像データ待ち受け画面へ戻るよう処理を行う。
【００６０】
画像取り込み画面では、
「▼携帯電話機と赤外線通信中です▲
画像データ取り込み中・・・
！取り込み中は赤外線をこちらに向けてください！」
と表示されると共に、取り込み状況を確認できるメーターが画面に表示される。その際、「画像データを取り込み中です。」等のガイダンスが音声で流れるように処理される。画像データ取り込みの結果、画像データの取り込みが完了した場合、図１８に示す画像取り込み成功画面が、プリント装置２０の表示部２０２に表示処理される。
【００６１】
一方、画像データの取り込みが欠損した場合には、赤外線通信データ取得失敗画面が、プリント装置２０の表示部２０２に表示処理される。この場合、前述した図１７に示すような赤外線通信データ取得失敗画面が表示され、利用者がこの画面に表示された「次へ」のタッチボタンを選択して、その部分にタッチすると、プリント装置２０のでは前記携帯電話機からの画像待ち受け画面へ戻るよう処理が行われ、表示部２０２に前記携帯電話機１０からの画像待ち受け画面が表示される。
【００６２】
画像取り込み成功画面には、取り込み画像と取り込みに成功した画像を承認するか否かを決定する「はい」「いいえ」のタッチボタンが表示される。利用者が、「はい」を選択しそのタッチボタンにタッチすると、画像調整画面がプリント装置２０の表示部２０２に表示処理される。利用者が、「いいえ」を選択しそのタッチボタンにタッチすると、携帯電話機１０からの画像待ち受け画面がプリント装置２０の表示部２０２に表示処理される。利用者は、再度画像の取り込みを前述のように行う。
【００６３】
また、前記画像データ取り込み成功画面の中に、「はい」「いいえ」のタッチボタンの他に「追加」のタッチボタンを設け、利用者がこの「追加」ボタンを選択した場合には、再度、利用者の携帯電話機からの画像データを受信することにしても良い。そして、この場合、プリント装置２０で受信した複数の画像データを同時に表示部２０２に表示し、その後、それら複数の画像データを１枚のシール用紙等の用紙に印刷させるような設定を行なっても良い。
【００６４】
画像調整画面（図１９）では、取り込み画像と、明るさやコントラスト等を調整するボタンと、この調整を決定する「決定」ボタンと、明るさとコントラストを初期値に戻して表示する「リセット」ボタンが表示される。明るさやコントラスト等を調整するボタンには、「＋（プラス）」ボタンと「−（マイナス）」ボタンが夫々表示されている。この「＋（プラス）」ボタンをタッチすることで、取り込み画像の明るさを増したり、コントラストを増したりすることができる。また、「−（マイナス）」ボタンをタッチすることで、取り込み画像の明るさを減らしたり、コントラストを減らしたりすることができる。
【００６５】
画像調整画面（図１９）で調整が終了し、利用者が「決定」のタッチボタンにタッチすると、フレーム選択画面（図示せず。）がプリント装置２０の表示部２０２に表示処理される。このフレーム選択画面には、花柄、幾何学模様などのプリントされる写真のフレームのサンプルのタッチボタンが複数表示されると共に、フレームなしのタッチボタンが表示される。
【００６６】
利用者がフレームのサンプルのタッチボタンにタッチすると、記憶部２０３に記憶されたフレームのデータベースから該当するフレームのデータが呼び出され、画像データと合成処理がなされ、合成処理がなされた画像が表示部２０２に表示処理される。利用者が、この表示された合成処理画像を気に入らなかった場合には、このフレーム選択画面に表示されたリセットボタンにタッチして合成を解除し、他のフレームのタッチボタンにタッチすると、記憶部２０３に記憶されたフレームのデータベースから該当するフレームのデータが呼び出され、画像データと合成処理がなされ、合成処理がなされた画像が表示部２０２に表示処理される。
【００６７】
そして、利用者が、このフレーム選択画面に表示された決定ボタンにタッチすると、図２０に示すようなトリミング画面がプリント装置２０の表示部２０２に表示処理される。
【００６８】
このトリミング画面には、フレームなしが選択された場合には取り込み画像のみが、フレームが選択された場合にはフレームが合成処理された取り込み画像が、表示される。この表示された画像の上下左右には、この表示された画像を上下左右に移動して表示させるための移動ボタンが表示される。また、この表示された画像をワンタッチで左右方向（右まわり又は左まわり）に略９０度回転した画像を表示することができるボタンも表示される。また、この表示された画像を拡大したり、縮小したりするための「大」「小」ボタンも表示される。これらのボタン等を利用し、利用者は好みの画像を作成することが可能となる。特に、カメラ付携帯電話機で撮影された画像は、縦、横、斜め等様々な角度から撮影されていることが考えられ、これらの画像を修正することができればより利用者の楽しみが増すこととなる。
【００６９】
また、トリミング画面には、フレーム再選択ボタン、リセットボタン、決定ボタンが表示されている。利用者が、フレーム再選択ボタンを選択し、このタッチボタンをタッチすると、表示部２０２にはフレーム選択画面が表示処理され、再度フレームを選択することが出来る。利用者が、リセットボタンを選択しこのタッチボタンにタッチすると、初期状態に画像が戻るよう処理される。利用者が、決定ボタンを選択しこのタッチボタンをタッチすると、図２３に示すような背景選択画面がプリント装置２０の表示部２０２に表示処理される。
【００７０】
この背景選択画面には、色付、桜模様、梅模様等の背景のサンプルを表示したタッチボタンが複数表示されると共に、背景なしのタッチボタンが表示される。利用者が、いずれかのタッチボタンにタッチすると、図２４に示すような差し札のサンプルを表示した差し札選択画面が表示処理される。
【００７１】
この際、いずれかの背景のサンプルが選択された場合には、記憶部２０３に記憶された背景のサンプルのデータベースから該当する背景のデータが呼び出され、画像データと合成処理がなされるよう対応付け処理が行われる。一方、背景なしが選択された場合には、その対応付けデータが無い旨が対応付け処理される。
【００７２】
この差し札選択画面には、「開運祈念」「家内安全」「身体健全」「交通安全」「初志貫徹」「笑門来福」等の差し札のサンプルのタッチボタンが複数表示されると共に差し札なしのタッチボタン及び差し札文字入力ボタンが表示される。また、差し札選択画面には、「←」及び「→」の矢印ボタンも表示され、差し札の前候補や後候補を表示することもできる。
【００７３】
利用者が、この差し札のサンプルの中から好みの差し札のサンプル又は差し札なし又は差し札文字入力を選択し、そのタッチボタンにタッチすると、図２５に示すような名前入力画面がプリント装置２０の表示部２０２に表示処理される。なお、図には示されていないが、「戻る」ボタンも表示され、このタッチボタンにタッチすると、江戸祝札カシラ入力種類選択画面へと戻るよう処理がなされる。
【００７４】
この際、いずれかの差し札のサンプルが選択された場合には、記憶部２０３に記憶された差し札のサンプルのデータベースから該当する差し札のデータが呼び出され、画像データと合成処理がなされるよう対応付け処理が行われる。一方、差し札なしが選択された場合には、その対応付けデータが無い旨が対応付け処理される。
【００７５】
この名前入力画面には、文字の種類を選択できる選択ボタンと、選択された文字の一覧が表示される。利用者は、文字の種類を選択し、文字の一覧中の任意の文字にタッチすることにより名前等を入力する。また、名前入力画面には、間違えた文字を削除できる一字削除ボタン、文字の間にスペースを空けるためのスペースボタン、決定するための「決定」ボタン、「戻る」ボタンも表示されている。
【００７６】
利用者が、文字を入力し終え、決定ボタンにタッチした場合、前記差し札選択画面において差し札文字入力ボタンを選択されていたときには、図２６に示すような差し札入力画面がプリント装置２０の表示部２０２に表示処理される。一方、差し札選択画面において差し札文字入力ボタンを選択されていないときには、江戸祝札プレビュー画面がプリント装置２０の表示部２０２に表示処理される。利用者が「戻る」ボタンを選択した場合には、江戸祝札カシラ入力種類選択画面がプリント装置２０の表示部２０２に表示され、利用者は再度入力を行う。
【００７７】
差し札入力画面には、漢字、アルファベット、絵文字、記号、便利等の種類や記号を選択できる選択ボタンと、選択された文字・記号の一覧が表示される。利用者は、文字や記号等の種類を選択し、文字の一覧中の任意の文字にタッチすることにより文字や記号等を入力する。また、差し札入力画面には、間違えた文字を削除できる一字削除ボタン、文字の間にスペースを空けるためのスペースボタン、決定するための「決定」ボタン、「戻る」ボタンも表示されている。
【００７８】
利用者が、文字を入力し終え決定ボタンをタッチすると、プリント装置２０の表示部２０２に図２７に示すような江戸祝札プレビュー画面が表示処理される。利用者が、「戻る」ボタンを選択した場合には、名前入力画面が再度表示され、利用者は名前の再入力を行う。
【００７９】
江戸祝札プレビュー画面には、選択された画像・名前・差し札が合成された江戸祝札のプレビューが表示され、書体変更ボタン、文字色ボタン、文字再入力ボタン、決定ボタンが表示される。この内、利用者が変更を望む場合には、書体ボタン、文字色ボタン、文字再入力ボタンを利用するものであるが、具体的に以下に説明する。
【００８０】
利用者が、書体変更ボタンを選択しこれにタッチすると、図２８に示すような書体選択画面が、プリント装置２０の表示部２０２に表示処理される。
【００８１】
この書体選択画面には、書体の異なる江戸祝札のプレビューが表示される。図２８には、３種類の書体の異なる江戸祝札のプレビューが表示されているが、この数は任意のものであり、これに限定されるものではない。利用者が、好みの書体を選択して、好みのプレビューにタッチすると、江戸祝札プレビュー画面へと戻る。
【００８２】
江戸祝札プレビュー画面で、利用者が文字色ボタンを選択してこれにタッチすると、図２９に示すような文字色変更画面が、プリント装置２０の表示部２０２に表示処理される。
【００８３】
この文字色変更画面には、文字が赤、白、黒、青、黄、桃、緑、茶、灰、橙等の色付き文字で表示された江戸祝札のサンプルが表示される。利用者が、好みの色を選択して、好みの文字色のサンプルにタッチすると、記憶部２０３に記憶された文字色のデータベースから該当する文字色のデータが呼び出され対応付け処理され、江戸祝札プレビュー画面へ戻ると同時に当該文字色で文字が表示処理される。
【００８４】
江戸祝札プレビュー画面で、利用者が、文字再入力ボタンを選択してこれにタッチすると文字再入力画面（図示せず。）が、プリンタ装置２０の表示部２０２に表示処理される。この文字再入力画面において、文字を再入力して修正し、決定ボタンにタッチすると、江戸祝札プレビュー画面へと戻る。
【００８５】
利用者が、上述した好みの選択・変更・修正等を行った後、決定ボタンを選択し、これにタッチすると図３０に示すような課金画面が、プリント装置２０の表示部２０２に表示処理される。
【００８６】
この課金画面では、「▼料金を投入してください▲」の文字が表示されると共に料金及び投入金額が表示される。利用者が、この画面に表示された料金をプリント装置の金銭投入口から投入すると、投入された積算金額が投入金額として表示され、投入金額が料金に達すると、プリント装置の表示画面に、図３１に示すような印刷画面が表示処理される。なお、料金以上の金額が投入された場合には、その差額がつり銭として、プリント装置の料金返却口から返却される。
【００８７】
この印刷画面には、「印刷中    終了まで暫くお待ちください。」等の文字が表示される。また、印刷の完了度合いを図３１に示すような数値とグラフとで表示処理する。この印刷が終了した場合には、図３２で示すような印刷終了画面がプリント装置２０の表示部２０２に表示処理される。この印刷に要する時間は、用紙のサイズ等により異なるため一概にはいえないが２０〜４０秒程度である。
【００８８】
この印刷終了画面には、「ありがとうございました。  ▼シールの取り忘れにご注意ください・・▼」等の文字が表示される。
【００８９】
イラスト・マークを選択した場合
江戸祝札カシラ入力種類選択画面で、利用者が、イラスト・マークを選択し、イラスト・マークボタンにタッチすると、図２１に示すようなイラスト選択画面がプリント装置２０の表示部２０２に表示処理される。
【００９０】
このイラスト画像選択画面には、招き猫、七福神、干支、鶴亀等のイラストのサンプルが表示されたタッチボタンが複数表示されると共に、イラストなしのタッチボタンが表示される。また、イラスト画像選択画面には、「←」「→」の→ボタン、決定ボタン、戻るボタンが表示される。利用者がイラストを選択し、そのイラストの又はイラストなしのいずれかのタッチボタンにタッチすると、上述した図２３に示すような背景選択画面がプリント装置２０の表示部２０２に表示処理される。この後の手順や処理は上記写真を選択した場合と同様であるので説明を省略する。
【００９１】
なお、この際、いずれかのイラストが選択された場合には、記憶部２０３に記憶されたイラストのデータベースから該当するイラストのデータが呼び出され、画像データと合成処理がなされるよう対応付け処理が行われる。一方、イラストなしが選択された場合には、その対応付けデータが無い旨が対応付け処理される。
【００９２】
家紋を選択した場合
江戸祝札カシラ入力種類選択画面で家紋を選択し、家紋ボタンにタッチすると、図２２に示すような家紋イラスト選択画面がプリント装置２０の表示部２０２に表示処理される。
【００９３】
この家紋イラスト画像選択画面には、家紋のイラストのサンプルが表示されたタッチボタンが複数表示されると共に、家紋なしのタッチボタンが表示される。また、家紋イラスト画像選択画面には、「←」「→」の矢印ボタン、決定ボタン、戻るボタンが表示される。利用者が、いずれかの家紋のサンプル又は家紋なしのタッチボタンにタッチすると、上述した図２３に示すような背景選択画面がプリント装置の表示画面に表示処理される。この後の手順や処理は上記写真を選択した場合と同様であるので説明を省略する。
【００９４】
なお、この際、いずれかの家紋のイラストが選択された場合には、記憶部２０３に記憶された家紋のイラストのデータベースから該当する家紋のイラストのデータが呼び出され、画像データと合成処理がなされるよう対応付け処理が行われる。一方、家紋なしが選択された場合には、その対応付けデータが無い旨が対応付け処理される。
【００９５】
（ネーム型シール）
次に、ネーム型シールを選択した場合を説明する。
作成シール種類選択画面において、ネーム型シール（実際に実施される場合は特定の名称が付けられるが、本明細書では説明の便宜上ネーム型シールという。）が表示されたタッチボタンに、利用者がタッチすると図３３に示すようなネーム型シールレイアウト選択画面が、プリント装置２０の表示部２０２に表示される。
【００９６】
このネーム型シールレイアウト選択画面には、シールレイアウトサンプルと全体のレイアウトサンプルが組み合わされた、ネーム型シールのレイアウトサンプルが複数表示される。また、このネーム型シールレイアウト選択画面には、「←」「→」の矢印ボタンが表示される。利用者は、矢印ボタンで画面を移動させるなどして、好みのネーム型のレイアウトサンプルを選択し、そのタッチボタンにタッチすると、プリント装置２０の表示部２０２に、利用者が自らのカメラ付携帯電話機にて撮影し、その携帯電話機の記憶部に保存蓄積された画像（写真）データを赤外線データ通信にて取り込むための確認画面が、プリント装置２０の表示部２０２に表示処理される。
【００９７】
この際、選択されたネーム型シールのレイアウトサンプル場合には、記憶部２０３に記憶されたネーム型シールのレイアウトサンプルのうち、選択されたネーム型シールのレイアウトサンプルのデータが呼び出され、その後取り込まれる画像データと合成処理がなされるよう対応付け処理が行われる。
【００９８】
ここで、携帯電話機１０から画像データを取り込む手順は、図１２乃至図２０を用いて上記江戸祝札において説明したものと同様なのでここでは説明を省略する。
【００９９】
画像データの取り込み及び画像が決定された後（即ち、トリミング画面において決定ボタンがタッチされた後）、プリント装置２０の表示部２０２には、背景選択画面が表示処理される。この背景選択画面では上記江戸祝札と同様に背景を選択することが可能である。但し、背景の形は江戸祝札と異なりネーム型シールの形状に合わせたものとなっている。
【０１００】
この際、いずれかの背景のサンプルが選択された場合には、記憶部２０３に記憶された背景のサンプルのデータベースから該当する背景のデータが呼び出され、画像データと合成処理がなされるよう対応付け処理が行われる。一方、背景なしが選択された場合には、その対応付けデータが無い旨が対応付け処理される。
【０１０１】
なお、この画面での利用者の操作方法等は、上記江戸祝札と同様なので、説明を省略する。この背景選択画面において、利用者が決定ボタンにタッチすると、プリント装置２０の表示部２０２には図３４に示すようなネーム型シール文字入力画面が表示処理される。
【０１０２】
この文字入力画面は、名前、電話番号（図中「ＴＥＬ」と表示している。）、電子メールアドレス（図中「メール」と表示している。）、コメントを漢字（日本語入力を意味するものであり、少なくとも漢字、ひらがな、カタカナでの入力が可能となっている。本実施例では、入力パットはひらがなで表示されるが、日本語入力が可能であればカタカナ表示であっても良い。）、アルファベット、絵文字、記号、便利（電話番号やファックス番号や電子メールアドレス等を簡単に入力できるようにした入力パッドを意味する。）等のタッチボタンが表示される。
【０１０３】
また、入力した文字を一文字ずつ削除できる一文字削除ボタン、文字と文字の間にスペースを設けるスペースボタン、入力が完了し内容を確定させるためにタッチする決定ボタンが表示されている。
【０１０４】
図３４に基づいて更に説明すると、画面の上部に横並びに配されているのが、名前、電話番号（図中「ＴＥＬ」と表示している。）、電子メールアドレス（図中「メール」と表示している。）、コメントについてのボタンであり、利用者が所望のタッチボタンにタッチするとタッチされたボタンの入力画面へと移り変わる。画面の左側に縦に配されているのが、漢字、アルファベット、絵文字、記号、便利のタッチボタンであり、利用者が所望のタッチボタンにタッチすると選択された文字等の一覧の入力パッド及び入力された文字が変換された文字が画面に表示されるようになっている。
【０１０５】
ここで名前ボタンを選択し且つ漢字ボタンを選択すると図３５に示すように漢字変換・ひらがな入力画面がプリント装置２０の表示部２０２に表示される。この入力画面の入力パッドで、「みねぎし」とタッチパネルの該当するひらがなをタッチして入力すると、図３５に示すように「みねぎし」「峯岸」「峰岸」「ミネギシ」「嶺岸」「峰木氏」「ＭＩＮＥＧＩＳＩ」「Ｍｉｎｅｇｉｓｉ」等の文字の例が文字の入力パッド上部に複数表示される。
【０１０６】
文字例が表示部２０２に表示できる数よりも多い場合には、次候補ボタンが文字例表示部２０２に表示されるようになっている。利用者が、所望の文字、例えば「峰岸」の部分にタッチすると、図３６に示すように、入力画面の上部左側に設けられた入力文字表示部分にその文字が表示される。利用者が、この入力文字表示部に表示された「峰岸」の文字で確定する場合には、右下方に設けられた決定ボタンにタッチすると文字が確定処理される。
【０１０７】
このように、利用者は、画面の上部に設けられた名前、電話番号（図中「ＴＥＬ」と表示されている。）、電子メールアドレス（図中「メール」と表示されている。）、コメントのタッチボタンにタッチして夫々の画面を表示し、漢字、アルファベット、絵文字、記号、便利、で入力を行う。図３７はアルファベット入力画面、図３８は絵文字入力画面、図３９は記号入力画面、図４０は電話入力モードの便利入力画面、図４１はメール入力モードの便利入力画面の一例を示した図であり、利用者はこれらの画面で入力を行う。
【０１０８】
なお、図３４乃至図４１において図示していないが、携帯電話機１０の記憶部に予めテキストデータとして保存蓄積された氏名・自携帯電話番号・自携帯電子メールアドレス等の所有者データや、コメントデータやアドレス帳データやスケジュール帳データ等の文字データを赤外線データ通信によりプリント装置２０へ送信し、受信したプリント装置２０は、その文字データを表示部２０２に表示させることが可能であるため、「携帯電話機から赤外線通信で文字情報を送信することができます。」などの文字がタッチボタンとして画面に表示処理されるようになっている。
【０１０９】
利用者がこのタッチボタンにタッチすると、携帯電話機１０から文字データである所有者データを取り込むメッセージ受信画面がプリント装置２０の表示部２０２に表示処理される。この所有者データを取り込む処理手順は、以下に説明する写真型シールの場合と同様であるので、ここでは説明を省略する。
【０１１０】
上記各入力画面で入力が終了し夫々決定ボタンがタッチされるか又は赤外線データ通信により文字データである所有者データがプリント装置２０に送信されると、図４２に示されるようなネーム型シール入力確認画面が表示処理される。
【０１１１】
このネーム型シール入力確認画面には、入力された又は赤外線データ通信で送信された、名前（例えば、「峰岸  不二男」）、電話番号（例えば、「０９０−＊＊＊＊−△△△△」）、メール（電子メールアドレス）、メッセージ（例えば、「こんにちは！」）が表示され、訂正を行えるように再入力ボタンも夫々表示される。
【０１１２】
利用者が、間違い等に気付き名前等を訂正等する場合には、再入力ボタンにタッチする。すると、前記に説明した夫々の入力パットが表示処理され、利用者がその画面において再度入力を行うことができる。
【０１１３】
ネーム型シール入力確認画面での処理が終了した後に、利用者がこの画面に表示された決定ボタンにタッチすると、図４３に示すようなプレビュー表示画面がプリンタ装置２０の表示部２０２に表示処理される。
【０１１４】
このプレビュー表示画面には、ネーム型シールのプレビューが表示されると共に書体を変更するための書体変更ボタン、文字色を決定するための文字色ボタン、再入力を行うための再入力ボタン、及び決定ボタンが表示される。
【０１１５】
利用者が、書体変更ボタンを選択し、このボタンにタッチすると、図４４に示されるような書体変更画面がプリンタ装置２０の表示部２０２に表示処理される。
【０１１６】
この書体変更画面には、名前、電話番号、メール（電子メールアドレス）、メッセージが表示され、その書体を変更できるようにこれらの横等に書体変更ボタンが表示される。利用者は、変更を望むものの書体変更ボタンにタッチする。図４４では、名前・電話番号・メールが一緒に表示されるが、別々にしてもよいことは勿論である。
【０１１７】
利用者が、例えば、名前の書体の変更ボタンにタッチした場合には、図４５に示すような書体選択画面がプリンタ装置２０の表示部２０２に表示処理される。具体的には、丸文字、行書体、正楷書体、ゴシック体等の書体で表された入力された名前が表示される。
【０１１８】
利用者が、所望の書体にタッチした後に、決定ボタンに更にタッチすると書体が決定処理され、その書体で表示されるようにデータが書き換え処理される。画面は、書体変更画面（図４４）に戻るよう処理される。その際、画面の文字は決定された書体に変更されている。利用者が所望の書体変更を済ませた後、決定ボタンにタッチすると、プレビュー表示画面に戻るよう処理される。
【０１１９】
利用者が更に文字の色の変更を望む場合には、文字色ボタンを選択し、このボタンにタッチすると、図４６に示すような文字色変更画面が画像プリンタ装置２０の表示部２０２に表示処理される。
【０１２０】
この文字色変更画面では、名前（例えば、「峰岸  不二男」）、電話番号（例えば、「０９０−＊＊＊＊−△△△△」）、メール（電子メールアドレス）、メッセージ（例えば、「こんにちは！」）が表示され夫々文字色ボタンが設けられている。文字色を変更したいものの文字色ボタンを選択して、このボタンにタッチするとカラーサンプルが表示された文字色の選択画面が表示され（図示せず。）、利用者は所望の色を選択する。利用者が、所望の色を選択した後、文字色変更画面に表示された決定ボタンにタッチすると、その選択された文字色にデータが書き換え処理される。そして、課金画面がプリンタ装置２０の表示部２０２に表示処理される。
【０１２１】
この課金、印刷、終了の工程は、図３０乃至図３２を用いて上記に説明した江戸祝札と同様なので、説明を省略する。
【０１２２】
（写真型シール）
次に、写真型シールを選択した場合を説明する。
作成シール種類選択画面において、写真型シールを選択すると、携帯電話機１０にて撮影され、記憶部に保存された人物や動植物や風景等の画像（写真）データをプリント装置へ取り込む確認画面がプリント装置２０の表示部２０２に表示処理される。
【０１２３】
この確認画面表示処理からトリミング処理するまでは、図１２乃至図２０を用いて説明した江戸祝札での処理工程と同様なので説明を省略し、トリミング処理後の処理を説明する。
【０１２４】
画像のトリミング処理を終了し、利用者が決定ボタンにタッチすると、図４７に示すようなシール分割数選択画面がプリント装置２０の表示部２０２に表示処理される。
【０１２５】
このシール分割数選択画面には、例えば、４分割、６分割、１６分割等タッチボタンが表示され、利用者は所望の分割数のタッチボタンにタッチした後、決定ボタンにタッチすると、分割数が決定処理され記憶される。そして、プリント装置２０の表示部２０２には写真型メッセージ受信選択画面が表示処理される。
【０１２６】
この写真型メッセージ受信選択画面には、「携帯電話機から文字を入力しますか？  （携帯電話機から赤外線で文章を送信してください。）」等の文字が表示され、「はい」「いいえ」のボタンが表示される。利用者が、携帯電話機から赤外線データ通信を所望し、「はい」ボタンにタッチすると、赤外線メッセージ送信ガイダンス画面がプリント装置２０の表示部２０２に表示処理される。「いいえ」ボタンを選択し、このボタンにタッチすると文字は入力されないで処理される。
【０１２７】
この赤外線メッセージ送信ガイダンス画面では、送信方法のガイダンスを流すよう処理が行われ、このガイダンスに従って、利用者は携帯電話機１０の赤外線送受信部１１０とプリント装置２０の赤外線送受信部２０５の位置を合わせ赤外線データの送信を行う。この送信が終了すると、赤外線通信受信完了画面がプリント装置２０の表示部２０２に表示処理される。
【０１２８】
なお、受信に失敗した場合には、「送信に失敗しました！！」等の文字が表示される送信失敗画面がプリント装置２０の表示部２０２に表示処理され、この画面にはメッセージ受信選択画面へと戻るためのボタンも表示される。利用者は、この戻るためのボタンにタッチすることによりメッセージ受信選択画面へと戻り再度送信をやり直すことができる。
【０１２９】
この赤外線通信受信完了画には、「受信完了」のメッセージと共に送信されたメッセージ（例えば、「こんにちは☆」）が表示される。更に、「メッセージはこれでよろしいですか？」等のメッセージを確認するための表示及び「はい」「いいえ」ボタンも表示される。利用者は、メッセージが正しい場合には、「はい」ボタンを選択し、これにタッチすると図４８に示すような写真型シールのメッセージ挿入画面がプリント装置２０の表示部２０２に表示される。
【０１３０】
この写真型シールのメッセージ挿入画面には、取り込まれた画像が表示され、この画像の任意の位置に利用者が指等でタッチすると、図４９に示すようにそのタッチした部分にメッセージ（例えば、「こんにちは☆」）が挿入される。利用者が任意の位置にメッセージを挿入し、決定ボタンにタッチすると、図５０に示すような写真型シールの印刷レイアウトレビュー画面がプリント装置２０の表示部２０２に表示される。
【０１３１】
この写真型シールの印刷レイアウトレビュー画面には、分割数に応じた印刷レイアウトが表示されると共に、「これでよろしいでしょうか？」などのメッセージも表示される。また、この印刷レイアウトレビュー画面には、「はい」「いいえ」ボタンも表示される。利用者が、レイアウトを確認し、「はい」ボタンにタッチすると、課金画面がプリント装置２０の表示部２０２に表示処理される。
【０１３２】
課金処理から印刷、終了までは、上述の江戸祝札で説明した工程と同様なので、ここでは説明を省略する。
【０１３３】
また、プリントシステムでは、画像データや個人情報である所有者データ（氏名・自携帯電話番号・自携帯電子メールアドレス等）を受信し、場合によってはメモリ以外の記憶装置（ハードディスク等）に保存することから、これらのデータの流出を防止するため、印刷完了又はサービス中止（本実施例に係るシステムのサービスキャンセル時を意味する。）を判断した場合には、必要に応じて記憶部２０３に記憶された利用者の個人データ（赤外線データ通信により利用者から送信された画像データ及び／又は所有者データ等の文字データ）に上書き削除処理を行い復元不可能な状態とする。この削除処理では、例えば、「０１０１０１０１」（２進）のパターンでデータ領域を塗りつぶす方法や、乱数（全く意味のないデータ）で２回上書きして、その後「０」だけのデータで１回上書きする方法等を用いる。
【０１３４】
上述のように、プリントシステムを説明したが、静止画像データだけでなく、動画データを赤外線データ通信により携帯電話機１０から取り込み、受信したプリント装置は、この動画データを任意の時間的間隔毎に静止画像データとして分割して表示部２０２へ表示し、その後、プリント装置２０により任意に選択された複数の静止画像を一枚のプリント用シール用紙に印刷するようにしても良いことは勿論である。また、利用者が動画データの任意の静止画を指定できるように、携帯電話機１０から取り込んだ動画データを、プリント装置２０の表示部２０２に表示させ、利用者が任意に選択できるように処理しても良い。この際、上述の実施例で説明したような記憶部２０３に予め記憶されている背景・差し札・書体（江戸文字、演芸文字、相撲文字等）・イラスト・家紋・前景フレーム等の画像データとの組合せを行えることは勿論である。
【０１３５】
動画データ受信時の表示、印刷画像選択方法は、上記方法に限らない。
【０１３６】
また、上述の実施例で説明した携帯電話機１０の赤外線送受信部１１０は、赤外線データ通信により各種データ（画像データや文字データ等）を送信することが可能な赤外線送信部であれば良い。
【０１３７】
同様に、上述の実施例で説明したプリント装置２０の赤外線送受信部２０５は、赤外線データ通信により各種データ（画像データや文字データ等）を受信することが可能な赤外線受信部であれば良い。
【０１３８】
また、携帯端末とは、携帯電話機１０に限らず、その記憶部に保存蓄積された画像データや文字データ等を赤外線データ通信により送信可能な赤外線送信部又は赤外線送受信部を有するものであれば良く、デジタルカメラやデジタルビデオ等の携帯端末でも良い。
【０１３９】
また、プリント装置２０の印刷部２０６は、シール用紙等の所定の用紙に文字や画像を印刷することができれば良い。シール用紙に文字や画像を印刷する場合、ロールタイプのシールシートを装填可能なものが望ましく、また、この場合、装填したロールタイプのシールシートを任意設定した長さにカットするカット機能を有するものが望ましい。また、印刷部２０６の印画解像度は、略３００ｄｐｉが望ましい。
【０１４０】
また、印刷開始から完了まで少々時間（略３０秒程度）がかかるので、その間にプリント装置から利用者の携帯電話機１０へ赤外線データ通信にて、プログラムデータ、広告データ、割引電子クーポンデータ、景品引換え券データ、サービスポイントデータ、新製品データ、画像データ等の各種データを送信できるように構成しても良い。
【０１４１】
上記各種データの送信方法は、先ず、図３１の印刷画面に、追加的に、「各種情報の受信を希望しますか？」等の音声や文字によるアナウンスを行ない、更に、「はい」と「いいえ」のタッチボタンを表示部２０２に表示し、利用者が「はい」のタッチボタンにタッチしたことを判断した場合、プリント装置２０から送信する各種データのメニューボタン（例えば、「ＡＢＣゲーム」、「ＸＹＺアイスクリーム割引券」、「特製携帯ストラップ引換券」、「サービスポイント１点（１０点集めると１回無料！）」、「アイドル歌手の特製壁紙」等）を表示部２０２へ表示し、その中のいずれかのタッチボタンが選択されたことを判断した場合、赤外線送受信手段により選択されたデータの送信を行なう。
【０１４２】
また、上記方法以外に、プリント装置２０が赤外線データ通信により受信した利用者の画像データや、氏名・自携帯電話番号・自携帯電子メールアドレス等の所有者データである文字データに基づき、ターゲティング（例えば、画像識別ソフトウェアを用いて受信した画像データに写っている画像が犬の画像か、風景か、男性の画像か、眼鏡をかけているか、等の各種識別を行ない、その結果、例えば、その画像データに写っている画像が眼鏡をかけた人物であると識別された場合には、記憶部に記憶された各種送信データデータベースより眼鏡屋さんの割引広告を選択・抽出し、タッチパネル上の送信するデータのメニューボタンに表示する。又は、氏名識別ソフトウェアを用いて受信した氏名データの氏名が男性の名前か、女性の名前かの識別を行ない、その結果、例えば、女性の名前であると識別された場合には、記憶部に記憶された各種送信データデータベースより宝石屋さんの割引広告を選択・抽出し、タッチパネル上の送信するデータのメニューボタンに表示する。等）を行なうことにより実現しても良い。
【０１４３】
また、上記実施例では、利用者が行なう指示（各種選択・入力・決定等）の全てをプリント装置２０のタッチパネル上から操作を行っているが、それらの利用者の指示の一部又は全部を音声入力とし、プリント装置２０が音声認識ソフトウェアとマイクとを備え、利用者の音声を識別処理するように構成しても良い。
【０１４４】
また、上記実施例では、サービス（各種シール印刷サービス）料金の課金をプリント装置２０の金銭投入口から投入することで行なっているが、携帯電話機１０より赤外線データ通信により送信される予め携帯電話機１０の記憶部１０４に記憶された文字データである氏名・自携帯電話番号・自携帯電子メールアドレス等の所有者データのうち、少なくともいずれか１つ、又は、任意の組み合わせに基づき、サービス（各種シール印刷サービス）料金データと上記所有者データのうち、少なくともいずれか１つ、又は、任意の組み合わせデータとを、公衆回線網等のネットワークを介して携帯電話提供会社（キャリア）の課金管理サーバー又はプリント装置２０の保守・メンテナンスや利用状況データ等の集計等行なうために設置した保守・集計用サーバーに送信し、利用者の携帯電話利用料と共に課金できるようにしても良い。この場合、プリント装置２０では、赤外線データ通信により受信した利用者の所有者データのうち、少なくともいずれか１つ、又は、任意の組み合わせデータと、この利用者によるサービス（各種シール印刷サービス）料金データとの対応付けを行ない、この対応付けにより得られたデータを記憶部に保存蓄積し、サービス完了毎、又は、所定のタイミング（毎週・毎月・半年等）毎に記憶部に保存蓄積した上記対応付けにより得られたデータを、携帯電話提供会社（キャリア）の課金管理サーバー又はプリント装置の保守・メンテナンスや利用状況データ等の集計等行なうために設置した保守・集計用サーバーに公衆回線網等のネットワークを介して送信する。
【０１４５】
更に、上記公衆回線網等のネットワークを介して行なう課金方法以外に、予め利用者の携帯電話機１０にチャージされたサイバーマネーや、プリペイドカードやクレジットカード等によりサービス料金の徴収を行っても良い。
【０１４６】
また、公衆回線網等のネットワークにプリント装置２０を接続し、予め利用者の携帯電話機１０にて撮影した画像データ等をその携帯電話機１０の電子メール送信機能等の通信機能を用いて送信し、その画像データ等が予め記憶されたインターネット上に設置された画像データ等を保存するＷｅｂサーバーにアクセスし、そのＷｅｂサーバーの記憶部に記憶された利用者の携帯電話機１０の画像撮影機能により撮影された人物や動植物や風景等の画像データ等をダウンロード処理し、表示部２０２に表示処理するように構成しても良い。
【０１４７】
また、上記方法以外に、先ず、プリント装置２０に自己の携帯電話機１０の電子メールアドレスを入力処理させ、この電子メールアドレスにプリント装置のＵＲＬ（ｕｎｉｆｏｒｍ  ｒｅｓｏｕｒｃｅ  ｌｏｃａｔｏｒ）を送信処理させ、このＵＲＬ（ｕｎｉｆｏｒｍ  ｒｅｓｏｕｒｃｅ  ｌｏｃａｔｏｒ）に画像データ等を電子メール等に添付等して送信処理させ、プリント装置２０が公衆回線網等のネットワークを介してこの画像データ等を含む電子メールの受信処理を行い、これを表示部２０２に表示処理させるように構成しても良い。
【０１４８】
また、画像データや文字データを赤外線データ通信により受信し、（必要であれば変換し）表示し、そこで加工・修正された画像等を印刷するだけでなく、音声データを受信し、受信した音声データを変換プログラムを用いて文字データに変換し、プリント装置２０の表示部２０２へ受信した音声データを文字のかたちで表示し、加工・修正後に、印刷しても良い。
【０１４９】
また、上述のプリントシステムにおいて、プリント装置は、常に赤外線データの送受信が可能な状態であるため、複数の画像データ及び／又は複数の文字データを随時受信することが可能である。
【０１５０】
また、利用者がプリント装置２０の表示部２０２に表示される図１３の対応機種一覧画面の対応機種ボタン（例えば、「Ｐ５０４ｉＳ」、「Ｎ５０４ｉＳ」、「Ｆ５０４ｉＳ」、「Ｄ５０４ｉＳ」等）にタッチし、利用者の所有する携帯電話機の機種名（型番）を指定した際に、それを判別したプリント装置２０は、赤外線通信手段を用いてその携帯電話機１０へ携帯電話機１０の表示画面を赤外線（画像データ）送信画面にスキップさせるスキッププログラムを送信する。このスキッププログラムは、携帯電話機１０側でこのプログラムデータを受信した場合、受信完了後にこのスキッププログラムが起動し、受信した携帯電話機１０の表示画面が、赤外線（画像データ）送信画面にスキップするという方法をとっても良い。
【０１５１】
また、利用者がプリント装置２０の表示部２０２に表示される図１３の対応機種一覧画面の対応機種ボタン（例えば、「Ｐ５０４ｉＳ」、「Ｎ５０４ｉＳ」、「Ｆ５０４ｉＳ」、「Ｄ５０４ｉＳ」等）にタッチし、利用者の所有する携帯電話機１０の機種名（型番）を指定した際に、それを判別したプリント装置２０は、赤外線通信手段を用いてその携帯電話機１０へ携帯電話機１０の記憶部１０４の画像データを保存蓄積する画像フォルダの一部のデータ又は全データを赤外線データ通信によりプリント装置２０へ送信するための画像フォルダデータ送信用プログラムを送信する。この画像フォルダデータ送信用プログラムは、携帯電話機１０側でこのプログラムデータを受信した場合、受信完了後にこの画像フォルダデータ送信用プログラムが起動し、受信した携帯電話機１０の記憶部１０４の画像データを保存蓄積する画像フォルダの一部のデータ又は全データが赤外線データ通信によりプリント装置２０の赤外線送受信部２０５へ送信され、この画像フォルダデータを受信したプリント装置２０は、受信したデータをテキストファイル形式からＪＰＥＧ等のバイナリー形式のデータに変換し、表示部へ表示するという方法をとっても良い。
【０１５２】
以上説明した、本実施例に係るプリントシステム及びプリント方法によれば、カメラ付携帯電話機等で自己が撮影した映像を、これをシール用紙等に印刷する遊戯用機械において種々の映像と合成したりすることができるので、友人や家族と様々なバリエーションのシールを作成し楽しむことができる。また、その印刷の手順もガイダンスを流したりする等分かり易いため、容易に行うことが可能であり、子供、お年寄り等広い範囲において容易に使用することが可能である。
【０１５３】
【発明の効果】
以上説明したように本発明によれば、カメラ付携帯電話機等で自己が撮影した映像を、これをシール用紙等に印刷する遊戯用機械において種々の映像と合成したりすることができるので、友人や家族と様々なバリエーションのシールを作成し楽しむことができる。また、その印刷の手順もガイダンスを流したりする等分かり易いため、容易に行うことが可能であり、子供、お年寄り等広い範囲において容易に使用することができる。
【図面の簡単な説明】
【図１】本実施の形態のプリントシステムのイメージ図である。
【図２】カメラ機能を有した携帯電話機の構成の概略ブロック図である。
【図３】プリント装置の構成の概略ブロック図である。
【図４】携帯電話機の画像フォルダの内訳を示す図である。
【図５】プリント装置の記憶部に構築された、背景・差し札・書体（江戸文字、演芸文字、相撲文字等）・イラスト・家紋・前景フレーム等のデータを保存・蓄積したデータベースを示す図である。
【図６】本発明に係る実施の形態のプリントシールシステムの主要な流れを示した図である。
【図７】プリント装置の表示画面に表示される画面の一例を示したイメージ図である。
【図８】プリント装置の表示画面に表示される画面の一例を示したイメージ図である。
【図９】プリント装置の表示画面に表示される画面の一例を示したイメージ図である。
【図１０】プリント装置の表示画面に表示される画面の一例を示したイメージ図である。
【図１１】プリント装置の表示画面に表示される画面の一例を示したイメージ図である。
【図１２】プリント装置の表示画面に表示される画面の一例を示したイメージ図である。
【図１３】プリント装置の表示画面に表示される画面の一例を示したイメージ図である。
【図１４】プリント装置の表示画面に表示される画面の一例を示したイメージ図である。
【図１５】プリント装置の表示画面に表示される画面の一例を示したイメージ図である。
【図１６】プリント装置の表示画面に表示される画面の一例を示したイメージ図である。
【図１７】プリント装置の表示画面に表示される画面の一例を示したイメージ図である。
【図１８】プリント装置の表示画面に表示される画面の一例を示したイメージ図である。
【図１９】プリント装置の表示画面に表示される画面の一例を示したイメージ図である。
【図２０】プリント装置の表示画面に表示される画面の一例を示したイメージ図である。
【図２１】プリント装置の表示画面に表示される画面の一例を示したイメージ図である。
【図２２】プリント装置の表示画面に表示される画面の一例を示したイメージ図である。
【図２３】プリント装置の表示画面に表示される画面の一例を示したイメージ図である。
【図２４】プリント装置の表示画面に表示される画面の一例を示したイメージ図である。
【図２５】プリント装置の表示画面に表示される画面の一例を示したイメージ図である。
【図２６】プリント装置の表示画面に表示される画面の一例を示したイメージ図である。
【図２７】プリント装置の表示画面に表示される画面の一例を示したイメージ図である。
【図２８】プリント装置の表示画面に表示される画面の一例を示したイメージ図である。
【図２９】プリント装置の表示画面に表示される画面の一例を示したイメージ図である。
【図３０】プリント装置の表示画面に表示される画面の一例を示したイメージ図である。
【図３１】プリント装置の表示画面に表示される画面の一例を示したイメージ図である。
【図３２】プリント装置の表示画面に表示される画面の一例を示したイメージ図である。
【図３３】プリント装置の表示画面に表示される画面の一例を示したイメージ図である。
【図３４】プリント装置の表示画面に表示される画面の一例を示したイメージ図である。
【図３５】プリント装置の表示画面に表示される画面の一例を示したイメージ図である。
【図３６】プリント装置の表示画面に表示される画面の一例を示したイメージ図である。
【図３７】プリント装置の表示画面に表示される画面の一例を示したイメージ図である。
【図３８】プリント装置の表示画面に表示される画面の一例を示したイメージ図である。
【図３９】プリント装置の表示画面に表示される画面の一例を示したイメージ図である。
【図４０】プリント装置の表示画面に表示される画面の一例を示したイメージ図である。
【図４１】プリント装置の表示画面に表示される画面の一例を示したイメージ図である。
【図４２】プリント装置の表示画面に表示される画面の一例を示したイメージ図である。
【図４３】プリント装置の表示画面に表示される画面の一例を示したイメージ図である。
【図４４】プリント装置の表示画面に表示される画面の一例を示したイメージ図である。
【図４５】プリント装置の表示画面に表示される画面の一例を示したイメージ図である。
【図４６】プリント装置の表示画面に表示される画面の一例を示したイメージ図である。
【図４７】プリント装置の表示画面に表示される画面の一例を示したイメージ図である。
【図４８】プリント装置の表示画面に表示される画面の一例を示したイメージ図である。
【図４９】プリント装置の表示画面に表示される画面の一例を示したイメージ図である。
【図５０】プリント装置の表示画面に表示される画面の一例を示したイメージ図である。
【符号の説明】
１０  カメラ付携帯電話機
１０１  制御部
１０２  入力部
１０３  通信部
１０４  記憶部
１０５  表示部
１０６  スピーカー
１０７  マイク
１０８  バッテリー
１０９  カメラ
１１０  赤外線送受信部
２０  プリント装置
２０１  制御部
２０２  表示部
２０３  記憶部
２０４  メモリ
２０５  赤外線送受信部
２０６  印刷部
２０７  金銭投入部
２０８  データ変換処理部
【図１】
2006130658.tif 000003
【図２】
2006130658.tif 000004
【図３】
2006130658.tif 000005
【図４】
2006130658.tif 000006
【図５】
2006130658.tif 000007
【図６】
2006130658.tif 000008
【図７】
2006130658.tif 000009
【図８】
2006130658.tif 000010
【図９】
2006130658.tif 000011
【図１０】
2006130658.tif 000012
【図１１】
2006130658.tif 000013
【図１２】
2006130658.tif 000014
【図１３】
2006130658.tif 000015
【図１４】
2006130658.tif 000016
【図１５】
2006130658.tif 000017
【図１６】
2006130658.tif 000018
【図１７】
2006130658.tif 000019
【図１８】
2006130658.tif 000020
【図１９】
2006130658.tif 000021
【図２０】
2006130658.tif 000022
【図２１】
2006130658.tif 000023
【図２２】
2006130658.tif 000024
【図２３】
2006130658.tif 000025
【図２４】
2006130658.tif 000026
【図２５】
2006130658.tif 000027
【図２６】
2006130658.tif 000028
【図２７】
2006130658.tif 000029
【図２８】
2006130658.tif 000030
【図２９】
2006130658.tif 000031
【図３０】
2006130658.tif 000032
【図３１】
2006130658.tif 000033
【図３２】
2006130658.tif 000034
【図３３】
2006130658.tif 000035
【図３４】
2006130658.tif 000036
【図３５】
2006130658.tif 000037
【図３６】
2006130658.tif 000038
【図３７】
2006130658.tif 000039
【図３８】
2006130658.tif 000040
【図３９】
2006130658.tif 000041
【図４０】
2006130658.tif 000042
【図４１】
2006130658.tif 000043
【図４２】
2006130658.tif 000044
【図４３】
2006130658.tif 000045
【図４４】
2006130658.tif 000046
【図４５】
2006130658.tif 000047
【図４６】
2006130658.tif 000048
【図４７】
2006130658.tif 000049
【図４８】
2006130658.tif 000050
【図４９】
2006130658.tif 000051
【図５０】
2006130658.tif 000052
【手続補正書】
【提出日】平成15年5月23日(2003.5.23)
【手続補正１】
【補正対象書類名】明細書
【補正対象項目名】特許請求の範囲
【補正方法】変更
【補正の内容】
【特許請求の範囲】
【請求項１】
携帯端末から送信された画像、文字等のデータを、プリント装置の表示部に表示させ、この表示部に表示された画像、文字等のデータを利用者の任意の指示にしたがって編集し印刷するプリントシステムであって、
携帯端末から赤外線データ送信された画像データを受信する赤外線データ送受信手段と、
前記赤外線データ送受信手段により受信した画像データを表示する画像データ表示手段と、
前記画像データ表示手段により表示された画像データを、予め保存・蓄積されている任意の画像データと組合せ、画像データを編集する画像データ編集手段と、前記画像データ編集手段により編集された画像データを印刷する印刷手段と、を備え、
更に、前記画像データ表示手段において、受信した画像データが動画データである場合には、当該動画データを任意の時間的間隔毎に静止画像データとして分割して表示する分割表示手段を備えたことを特徴とするプリントシステム。
【請求項２】
携帯端末から送信された画像、文字等のデータを、プリント装置の表示部に表示させ、この表示部に表示された画像、文字等のデータを利用者の任意の指示にしたがって編集し印刷するプリントシステムであって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の所有者データである文字データやその他の文字データを受信する赤外線データ送受信手段と、
前記赤外線データ送受信手段により受信した画像データ及び／又は文字データを表示する手段と、
前記画像データ及び／又は文字データを表示する手段により表示された画像データ及び／又は文字データを、予め保存・蓄積されている任意のデータと組合せ、受信した画像データ及び／又は文字データを編集する手段と、
前記受信した画像データ及び／又は文字データを編集する手段により編集されたデータを印刷する印刷手段と、を備え、
更に、前記画像データ及び／又は文字データを表示する手段において、受信した画像データが動画データである場合には、当該動画データを任意の時間的間隔毎に静止画像データとして分割して表示する分割表示手段を備えたことを特徴とするプリントシステム。
【請求項３】
携帯端末より赤外線データ通信により送信される氏名・自携帯電話番号・自携帯電子メールアドレス等の所有者データのうち、少なくともいずれか１つ、又は、任意の組み合わせに基づき、サービス（各種シール印刷サービス）料金データと上記所有者データのうち、少なくともいずれか１つ、又は、任意の組み合わせデータとを、公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する送信手段を備えたことを特徴とする請求項２に記載のプリントシステム。
【請求項４】
前記画像データ編集手段及び／又は前記受信した画像データや文字データを編集する手段は、表示部に表示された画像データをワンタッチで左右方向に略９０度回転させ表示させる手段を備えたことを特徴とする請求項１乃至３のいずれかに記載のプリントシステム。
【請求項５】
画像データや所有者データが受信され、記憶装置である記憶手段により保存される場合には、
該記憶手段により記憶された画像データ及び／又は文字データを印刷完了時又はサービスキャンセル時毎に、先ず、乱数で２回上書きし、その後、「０」だけのデータで1回上書き削除するデータ削除手段を備えたことを特徴とする請求項１乃至４のいずれかに記載のプリントシステム。
【請求項６】
前記印刷手段による印刷実行中に、利用者の携帯端末に赤外線データ送受信手段により、広告データ、割引電子クーポンデータ、景品引換え券データ、サービスポイントデータ、新製品データ等の各種データを送信可能であることを特徴とする請求項１乃至５のいずれかに記載のプリントシステム。
【請求項７】
携帯端末から画像データや文字データをプリント装置に送信する際、携帯端末の機種名が指定された場合に、前記携帯端末に赤外線データ送受信手段により該携帯端末の表示画面を赤外線（画像データ）送信画面にスキップさせるスキッププログラムを送信する手段と、
該スキッププログラムを送信された携帯端末は、該スキッププログラムを受信後、受信したスキッププログラムを起動させ、該携帯端末の表示画面を赤外線（画像データ）送信画面にスキップさせる手段と、
を備えたことを特徴とする請求項１乃至６のいずれかに記載のプリントシステム。
【請求項８】
携帯端末から画像データや文字データをプリント装置に送信する際、携帯端末の機種名が指定された場合に、該携帯端末の記憶部に保存蓄積された画像データの一部又は全データをプリント装置へ送信するための画像データ送信プログラムを、携帯端末へ送信する手段と、
この送信する手段により、該画像データ送信プログラムを送信された携帯端末は、該画像データ送信プログラムの受信完了後、受信した画像データ送信プログラムを起動させ、該携帯端末の記憶部に保存蓄積された画像フォルダの一部のデータ又は全データを赤外線データ通信によりプリント装置へ送信する手段と、
この画像フォルダデータを受信したプリント装置は、受信したデータをテキストファイル形式からＪＰＥＧ等のバイナリー形式のデータに変換し、表示部へ表示する手段と、
を備えたことを特徴とする請求項１乃至６のいずれかに記載のプリントシステム。
【請求項９】
携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された画像データを受信する赤外線データ送受信手順と、
前記赤外線データ送受信手順により受信した画像データを表示する画像データ表示手順と、
前記画像データ表示手順により表示された画像データを、予め保存・蓄積されている任意の画像データと組合せ、画像データを編集する画像データ編集手順と、前記画像データ編集手順により編集された画像データを印刷する印刷手順と、を備え、
更に、前記画像データ表示手順において、受信した画像データが動画データである場合には、当該動画データを任意の時間的間隔毎に静止画像データとして分割して表示する分割表示手順を備えたことを特徴とするプリント方法。
【請求項１０】
携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の所有者データである文字データやその他の文字データを受信する赤外線データ送受信手順と、
前記赤外線データ送受信手順により受信した画像データ及び／又は文字データを表示する手順と、
前記画像データ及び／又は文字データを表示する手順により表示された画像データ及び／又は文字データを、予め保存・蓄積されている任意のデータと組合せ、受信した画像データ及び／又は文字データを編集する手順と、
前記受信した画像データ及び／又は文字データを編集する手順により編集されたデータを印刷する印刷手順と、を備え、
更に、前記画像データ及び／又は文字データを表示する手順において、受信した画像データが動画データである場合には、当該動画データを任意の時間的間隔毎に静止画像データとして分割して表示する分割表示手順を備えたことを特徴とするプリント方法。
【請求項１１】
携帯端末より赤外線データ通信により送信される氏名・自携帯電話番号・自携帯電子メールアドレス等の所有者データのうち、少なくともいずれか１つ、又は、任意の組み合わせに基づき、サービス（各種シール印刷サービス）料金データと上記所有者データのうち、少なくともいずれか１つ、又は、任意の組み合わせデータとを、公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する送信手順を備えたことを特徴とする請求項１０に記載のプリント方法。
【請求項１２】
前記画像データ編集手順及び／又は前記受信した画像データや文字データを編集する手順は、表示部に表示された画像データをワンタッチで左右方向に略９０度回転させ表示させる手順を備えたことを特徴とする請求項９乃至１１のいずれかに記載のプリント方法。
【請求項１３】
画像データや所有者データが受信され、記憶装置により保存される場合には、
該記憶された画像データ及び／又は文字データを印刷完了時又はサービスキャンセル時毎に、先ず、乱数で２回上書きし、その後、「０」だけのデータで1回上書き削除するデータ削除手順を備えたことを特徴とする請求項９乃至１２のいずれかに記載のプリント方法。
【請求項１４】
携帯端末から画像データや文字データをプリント装置に送信する際、携帯端末の機種名が指定された場合に、該携帯端末の記憶部に保存蓄積された画像データの一部又は全データをプリント装置へ送信するための画像データ送信プログラムを、携帯端末へ送信する手順と、
この送信する手順により、該画像データ送信プログラムを送信された携帯端末は、該画像データ送信プログラムの受信完了後、受信した画像データ送信プログラムを起動させ、該携帯端末の記憶部に保存蓄積された画像フォルダの一部のデータ又は全データを赤外線データ通信によりプリント装置へ送信する手順と、
この画像フォルダデータを受信したプリント装置は、受信したデータをテキストファイル形式からＪＰＥＧ等のバイナリー形式のデータに変換し、表示部へ表示する手順と、
を備えたことを特徴とする請求項９乃至１３のいずれかに記載のプリント方法。
【手続補正２】
【補正対象書類名】明細書
【補正対象項目名】０００６
【補正方法】変更
【補正の内容】
【０００６】
【課題を解決するための手段】
本発明は上記目的を達成するため、請求項１に記載の発明は、携帯端末から送信された画像、文字等のデータを、プリント装置の表示部に表示させ、この表示部に表示された画像、文字等のデータを利用者の任意の指示にしたがって編集し印刷するプリントシステムであって、携帯端末から赤外線データ送信された画像データを受信する赤外線データ送受信手段と、前記赤外線データ送受信手段により受信した画像データを表示する画像データ表示手段と、前記画像データ表示手段により表示された画像データを、予め保存・蓄積されている任意の画像データと組合せ、画像データを編集する画像データ編集手段と、前記画像データ編集手段により編集された画像データを印刷する印刷手段と、を備え、更に、前記画像データ表示手段において、受信した画像データが動画データである場合には、当該動画データを任意の時間的間隔毎に静止画像データとして分割して表示する分割表示手段を備えたことを特徴とする。


【手続補正３】
【補正対象書類名】明細書
【補正対象項目名】０００７
【補正方法】変更
【補正の内容】
【０００７】
請求項２に記載の発明は、携帯端末から送信された画像、文字等のデータを、プリント装置の表示部に表示させ、この表示部に表示された画像、文字等のデータを利用者の任意の指示にしたがって編集し印刷するプリントシステムであって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の所有者データである文字データやその他の文字データを受信する赤外線データ送受信手段と、前記赤外線データ送受信手段により受信した画像データ及び／又は文字データを表示する手段と、前記画像データ及び／又は文字データを表示する手段により表示された画像データ及び／又は文字データを、予め保存・蓄積されている任意のデータと組合せ、受信した画像データ及び／又は文字データを編集する手段と、前記受信した画像データ及び／又は文字データを編集する手段により編集されたデータを印刷する印刷手段と、を備え、更に、前記画像データ及び／又は文字データを表示する手段において、受信した画像データが動画データである場合には、当該動画データを任意の時間的間隔毎に静止画像データとして分割して表示する分割表示手段を備えたことを特徴とする。


【手続補正４】
【補正対象書類名】明細書
【補正対象項目名】０００８
【補正方法】変更
【補正の内容】
【０００８】
請求項３に記載の発明は、携帯端末より赤外線データ通信により送信される氏名・自携帯電話番号・自携帯電子メールアドレス等の所有者データのうち、少なくともいずれか１つ、又は、任意の組み合わせに基づき、サービス（各種シール印刷サービス）料金データと上記所有者データのうち、少なくともいずれか１つ、又は、任意の組み合わせデータとを、公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する送信手段を備えたことを特徴とする。


【手続補正５】
【補正対象書類名】明細書
【補正対象項目名】０００９
【補正方法】変更
【補正の内容】
【０００９】
請求項４に記載の発明は、前記画像データ編集手段及び／又は前記受信した画像データや文字データを編集する手段は、表示部に表示された画像データをワンタッチで左右方向に略９０度回転させ表示させる手段を備えたことを特徴とする。


【手続補正６】
【補正対象書類名】明細書
【補正対象項目名】００１０
【補正方法】変更
【補正の内容】
【００１０】
請求項５に記載の発明は、画像データや所有者データが受信され、記憶装置である記憶手段により保存される場合には、該記憶手段により記憶された画像データ及び／又は文字データを印刷完了時又はサービスキャンセル時毎に、先ず、乱数で２回上書きし、その後、「０」だけのデータで1回上書き削除するデータ削除手段を備えたことを特徴とする。


【手続補正７】
【補正対象書類名】明細書
【補正対象項目名】００１１
【補正方法】変更
【補正の内容】
【００１１】
請求項６に記載の発明は、前記印刷手段による印刷実行中に、利用者の携帯端末に赤外線データ送受信手段により、広告データ、割引電子クーポンデータ、景品引換え券データ、サービスポイントデータ、新製品データ等の各種データを送信可能であることを特徴とする。


【手続補正８】
【補正対象書類名】明細書
【補正対象項目名】００１２
【補正方法】変更
【補正の内容】
【００１２】
請求項７に記載の発明は、携帯端末から画像データや文字データをプリント装置に送信する際、携帯端末の機種名が指定された場合に、前記携帯端末に赤外線データ送受信手段により該携帯端末の表示画面を赤外線（画像データ）送信画面にスキップさせるスキッププログラムを送信する手段と、該スキッププログラムを送信された携帯端末は、該スキッププログラムを受信後、受信したスキッププログラムを起動させ、該携帯端末の表示画面を赤外線（画像データ）送信画面にスキップさせる手段と、を備えたことを特徴とする。


【手続補正９】
【補正対象書類名】明細書
【補正対象項目名】００１３
【補正方法】変更
【補正の内容】
【００１３】
請求項８に記載の発明は、携帯端末から画像データや文字データをプリント装置に送信する際、携帯端末の機種名が指定された場合に、該携帯端末の記憶部に保存蓄積された画像データの一部又は全データをプリント装置へ送信するための画像データ送信プログラムを、携帯端末へ送信する手段と、この送信する手段により、該画像データ送信プログラムを送信された携帯端末は、該画像データ送信プログラムの受信完了後、受信した画像データ送信プログラムを起動させ、該携帯端末の記憶部に保存蓄積された画像フォルダの一部のデータ又は全データを赤外線データ通信によりプリント装置へ送信する手段と、この画像フォルダデータを受信したプリント装置は、受信したデータをテキストファイル形式からＪＰＥＧ等のバイナリー形式のデータに変換し、表示部へ表示する手段と、を備えたことを特徴とする。


【手続補正１０】
【補正対象書類名】明細書
【補正対象項目名】００１４
【補正方法】変更
【補正の内容】
【００１４】
請求項９に記載の発明は、携帯端末から送信された画像、文字等のデータを、プリント装置の表示部に表示させ、この表示部に表示された画像、文字等のデータを利用者の任意の指示にしたがって編集し印刷するプリント方法であって、携帯端末から赤外線データ送信された画像データを受信する赤外線データ送受信手順と、前記赤外線データ送受信手順により受信した画像データを表示する画像データ表示手順と、前記画像データ表示手順により表示された画像データを、予め保存・蓄積されている任意の画像データと組合せ、画像データを編集する画像データ編集手順と、前記画像データ編集手順により編集された画像データを印刷する印刷手順と、を備え、更に、前記画像データ表示手順において、受信した画像データが動画データである場合には、当該動画データを任意の時間的間隔毎に静止画像データとして分割して表示する分割表示手順を備えたことを特徴とする。


【手続補正１１】
【補正対象書類名】明細書
【補正対象項目名】００１５
【補正方法】変更
【補正の内容】
【００１５】
請求項１０に記載の発明は、携帯端末から送信された画像、文字等のデータを、プリント装置の表示部に表示させ、この表示部に表示された画像、文字等のデータを利用者の任意の指示にしたがって編集し印刷するプリント方法であって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の所有者データである文字データやその他の文字データを受信する赤外線データ送受信手順と、前記赤外線データ送受信手順により受信した画像データ及び／又は文字データを表示する手順と、前記画像データ及び／又は文字データを表示する手順により表示された画像データ及び／又は文字データを、予め保存・蓄積されている任意のデータと組合せ、受信した画像データ及び／又は文字データを編集する手順と、前記受信した画像データ及び／又は文字データを編集する手順により編集されたデータを印刷する印刷手順と、を備え、更に、前記画像データ及び／又は文字データを表示する手順において、受信した画像データが動画データである場合には、当該動画データを任意の時間的間隔毎に静止画像データとして分割して表示する分割表示手順を備えたことを特徴とする。


【手続補正１２】
【補正対象書類名】明細書
【補正対象項目名】００１６
【補正方法】変更
【補正の内容】
【００１６】
請求項１１に記載の発明は、携帯端末より赤外線データ通信により送信される氏名・自携帯電話番号・自携帯電子メールアドレス等の所有者データのうち、少なくともいずれか１つ、又は、任意の組み合わせに基づき、サービス（各種シール印刷サービス）料金データと上記所有者データのうち、少なくともいずれか１つ、又は、任意の組み合わせデータとを、公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する送信手順を備えたことを特徴とする。


【手続補正１３】
【補正対象書類名】明細書
【補正対象項目名】００１７
【補正方法】変更
【補正の内容】
【００１７】
請求項１２に記載の発明は、前記画像データ編集手順及び／又は前記受信した画像データや文字データを編集する手順は、表示部に表示された画像データをワンタッチで左右方向に略９０度回転させ表示させる手順を備えたことを特徴とする。


【手続補正１４】
【補正対象書類名】明細書
【補正対象項目名】００１８
【補正方法】変更
【補正の内容】
【００１８】
請求項１３に記載の発明は、画像データや所有者データが受信され、記憶装置により保存される場合には、該記憶された画像データ及び／又は文字データを印刷完了時又はサービスキャンセル時毎に、先ず、乱数で２回上書きし、その後、「０」だけのデータで1回上書き削除するデータ削除手順を備えたことを特徴とする。


【手続補正１５】
【補正対象書類名】明細書
【補正対象項目名】００１９
【補正方法】変更
【補正の内容】
【００１９】
請求項１４に記載の発明は、携帯端末から画像データや文字データをプリント装置に送信する際、携帯端末の機種名が指定された場合に、該携帯端末の記憶部に保存蓄積された画像データの一部又は全データをプリント装置へ送信するための画像データ送信プログラムを、携帯端末へ送信する手順と、この送信する手順により、該画像データ送信プログラムを送信された携帯端末は、該画像データ送信プログラムの受信完了後、受信した画像データ送信プログラムを起動させ、該携帯端末の記憶部に保存蓄積された画像フォルダの一部のデータ又は全データを赤外線データ通信によりプリント装置へ送信する手順と、この画像フォルダデータを受信したプリント装置は、受信したデータをテキストファイル形式からＪＰＥＧ等のバイナリー形式のデータに変換し、表示部へ表示する手順と、を備えたことを特徴とする。




【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
携帯端末から送信された画像、文字等のデータを、プリント装置の表示部に表示させ、この表示部に表示された画像、文字等のデータを利用者の任意の指示にしたがって編集し印刷するプリントシステムであって、
携帯端末から赤外線データ送信された、カメラ機能を有した携帯端末のカメラにより撮影され且つ該携帯端末の記憶部に記憶された画像データ及び予め該携帯端末の記憶部に記憶されている氏名・自携帯電話番号・自携帯電子メールアドレス等の所有者データである文字データを受信する赤外線データ送受信手段と、
前記赤外線データ送受信手段により受信した画像データ及び所有者データを表示する手段と、
前記画像データ及び所有者データを表示する手段により表示された画像データ及び所有者データを、予め保存・蓄積されている任意のデータと組合せ、受信した画像データ及び所有者データを編集する手段と、
前記受信した画像データ及び所有者データを編集する手段により編集された画像データ及び所有者データを印刷する印刷手段と、を備え、
且つ、前記赤外線データ送受信手段により受信した氏名・自携帯電話番号・自携帯電子メールアドレス等の所有者データのうち、少なくともいずれか１つ、又は、任意の組み合わせデータと、サービス料金データとの対応付けを行なう手段と、
前記対応付けを行なう手段により得られたデータを記憶部に保存蓄積する手段と、
前記保存蓄積する手段により記憶部に保存蓄積したデータを公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する手段と、を備え、
更に、前記画像データ及び所有者データを表示する手段において、受信した画像データが動画データである場合には、当該動画データを任意の時間的間隔毎に静止画像データとして分割して表示する分割表示手段を備えたことを特徴とするプリントシステム。
【請求項２】
携帯端末から送信された画像、文字等のデータを、プリント装置の表示部に表示させ、この表示部に表示された画像、文字等のデータを利用者の任意の指示にしたがって編集し印刷するプリント方法であって、
携帯端末から赤外線データ送信された、カメラ機能を有した携帯端末のカメラにより撮影され且つ該携帯端末の記憶部に記憶された画像データ及び予め該携帯端末の記憶部に記憶されている氏名・自携帯電話番号・自携帯電子メールアドレス等の所有者データである文字データを受信する赤外線データ送受信手順と、
前記赤外線データ送受信手順により受信した画像データ及び所有者データを表示する手順と、
前記画像データ及び所有者データを表示する手順により表示された画像データ及び所有者データを、予め保存・蓄積されている任意のデータと組合せ、受信した画像データ及び所有者データを編集する手順と、
前記受信した画像データ及び所有者データを編集する手順により編集された画像データ及び所有者データを印刷する印刷手順と、を備え、
且つ、前記赤外線データ送受信手順により受信した氏名・自携帯電話番号・自携帯電子メールアドレス等の所有者データのうち、少なくともいずれか１つ、又は、任意の組み合わせデータと、サービス料金データとの対応付けを行なう手順と、
前記対応付けを行なう手順により得られたデータを記憶部に保存蓄積する手順と、
前記保存蓄積する手順により記憶部に保存蓄積したデータを公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する手順と、を備え、
更に、前記画像データ及び所有者データを表示する手順において、受信した画像データが動画データである場合には、当該動画データを任意の時間的間隔毎に静止画像データとして分割して表示する分割表示手順を備えたことを特徴とするプリント方法。
【手続補正２】
【補正対象書類名】明細書
【補正対象項目名】０００６
【補正方法】変更
【補正の内容】
【０００６】
【課題を解決するための手段】
本発明は上記目的を達成するため、請求項１に記載の発明は、携帯端末から送信された画像、文字等のデータを、プリント装置の表示部に表示させ、この表示部に表示された画像、文字等のデータを利用者の任意の指示にしたがって編集し印刷するプリントシステムであって、携帯端末から赤外線データ送信された、カメラ機能を有した携帯端末のカメラにより撮影され且つ該携帯端末の記憶部に記憶された画像データ及び予め該携帯端末の記憶部に記憶されている氏名・自携帯電話番号・自携帯電子メールアドレス等の所有者データである文字データを受信する赤外線データ送受信手段と、前記赤外線データ送受信手段により受信した画像データ及び所有者データを表示する手段と、前記画像データ及び所有者データを表示する手段により表示された画像データ及び所有者データを、予め保存・蓄積されている任意のデータと組合せ、受信した画像データ及び所有者データを編集する手段と、前記受信した画像データ及び所有者データを編集する手段により編集された画像データ及び所有者データを印刷する印刷手段と、を備え、且つ、前記赤外線データ送受信手段により受信した氏名・自携帯電話番号・自携帯電子メールアドレス等の所有者データのうち、少なくともいずれか１つ、又は、任意の組み合わせデータと、サービス料金データとの対応付けを行なう手段と、前記対応付けを行なう手段により得られたデータを記憶部に保存蓄積する手段と、前記保存蓄積する手段により記憶部に保存蓄積したデータを公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する手段と、を備え、更に、前記画像データ及び所有者データを表示する手段において、受信した画像データが動画データである場合には、当該動画データを任意の時間的間隔毎に静止画像データとして分割して表示する分割表示手段を備えたことを特徴とする。


【手続補正３】
【補正対象書類名】明細書
【補正対象項目名】０００７
【補正方法】変更
【補正の内容】
【０００７】
請求項２に記載の発明は、携帯端末から送信された画像、文字等のデータを、プリント装置の表示部に表示させ、この表示部に表示された画像、文字等のデータを利用者の任意の指示にしたがって編集し印刷するプリント方法であって、携帯端末から赤外線データ送信された、カメラ機能を有した携帯端末のカメラにより撮影され且つ該携帯端末の記憶部に記憶された画像データ及び予め該携帯端末の記憶部に記憶されている氏名・自携帯電話番号・自携帯電子メールアドレス等の所有者データである文字データを受信する赤外線データ送受信手順と、前記赤外線データ送受信手順により受信した画像データ及び所有者データを表示する手順と、前記画像データ及び所有者データを表示する手順により表示された画像データ及び所有者データを、予め保存・蓄積されている任意のデータと組合せ、受信した画像データ及び所有者データを編集する手順と、前記受信した画像データ及び所有者データを編集する手順により編集された画像データ及び所有者データを印刷する印刷手順と、を備え、且つ、前記赤外線データ送受信手順により受信した氏名・自携帯電話番号・自携帯電子メールアドレス等の所有者データのうち、少なくともいずれか１つ、又は、任意の組み合わせデータと、サービス料金データとの対応付けを行なう手順と、前記対応付けを行なう手順により得られたデータを記憶部に保存蓄積する手順と、前記保存蓄積する手順により記憶部に保存蓄積したデータを公衆回線網等のネットワークを介して携帯電話提供会社（キャリア）の課金管理サーバー又はプリント装置の保守・メンテナンスや利用状況データ等の集計等を行なうために設置した保守・集計用サーバーに送信する手順と、を備え、更に、前記画像データ及び所有者データを表示する手順において、受信した画像データが動画データである場合には、当該動画データを任意の時間的間隔毎に静止画像データとして分割して表示する分割表示手順を備えたことを特徴とする。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】